(57)【要約】【課題】ネットワークを用いた商取引市場において、市場の売り手や買い手である一般消費者のコスト高とならず、また利便性を損なうことなく、取引の確実な履行を保証する。【解決手段】決済可否判定部５９は、買い手がクレジットカードによる決済を選択した場合、クレジットカード会社や認定個人信用情報保護団体などのサーバにアクセスして当該買い手のクレジットカードに関する情報を参照し、実際に決済可能であるか否かを判定する。買い手がクレジットカード以外の方法による決済を選択した場合、取引実績データベース６０を参照して、いままでの取引実績に応じて実際に決済可能であるか否かを判定する。本発明は、例えばインタネットに代表されるネットワークを利用した商品市場に適用できる。【選択図】図３
2008262436.tif 000002
【特許請求の範囲】
【請求項１】
商品を取引する市場の運営者によって管理されるサーバと、商品の売り手または買い手によって操作される売買者端末から構成される市場運営システムにおいて、
前記売買者端末は、
前記売り手または前記買い手によって設定された商品の希望取引条件と決済方法を前記サーバに通知する通知手段と、
通知した前記決済方法に対して前記サーバから供給される、前記希望取引条件に対応する商品の取引が前記決済方法によって可能であるか否かを示す情報を、前記売り手または前記買い手に提示する提示手段とを備え、
前記サーバは、
前記売買者端末から通知された前記決済方法によって前記希望取引条件に対応する商品の取引が可能であるか否かを判定し、判定結果を前記売買者端末に供給する判定手段と、
前記判定手段によって前記取引が可能であると判定された場合のみ、対応する前記希望取引条件を登録する登録手段と、
登録済みの売り手の前記希望取引条件と登録済みの買い手の前記希望取引条件との間で取引が成立する組み合わせを決定するとともに、取引価格を決定する決定手段とを備える
ことを特徴とする市場運営システム。
【請求項２】
前記判定手段は、前記決済方法がクレジットカード決済である場合、前記クレジットカードに対応する所定のサーバにアクセスして、前記クレジットカードにより決済可能であるか否かを示す決済可否情報を取得し、取得した前記決済可否情報に基づいて前記希望取引条件に対応する商品の取引が可能であるか否かを判定し、前記決済方法がクレジットカード決済ではない場合、取引履歴が保持されているデータベースにアクセスして、前記買い手または前記売り手の取引履歴に関する履歴情報を取得し、取得した前記履歴情報に基づいて前記希望取引条件に対応する商品の取引が可能であるか否かを判定する
ことを特徴とする請求項１に記載の市場運営システム。
【請求項３】
前記判定手段は、前記決定手段によって登録済みの売り手の前記希望取引条件と登録済みの買い手の前記希望取引条件との間で取引が成立する前記組み合わせが決定されるとともに、前記取引価格が決定される処理の前にも、前記売買者端末から通知された前記決済方法によって前記希望取引条件に対応する商品の取引が可能であるか否かを再判定し、
前記決定手段は、前記判定手段による再判定の結果、商品の取引が不可能であると判定された希望取引条件を除外して、前記登録手段によって登録済みの売り手の前記希望取引条件と登録済みの買い手の前記希望取引条件との間で取引が成立する組み合わせを決定するとともに、取引価格を決定する
ことを特徴とする請求項１に記載の市場運営システム。
【請求項４】
商品を取引する市場の運営者によって管理されるサーバと、商品の売り手または買い手によって操作される売買者端末から構成される市場運営システムの情報処理方法において、
前記売買者端末によって、前記売り手または前記買い手によって設定された商品の希望取引条件と決済方法を前記サーバに通知し、
前記サーバによって、前記売買者端末から通知された前記決済方法によって前記希望取引条件に対応する商品の取引が可能であるか否かを判定し、判定結果を前記売買者端末に供給し、
前記売買者端末によって、通知した前記決済方法に対して前記サーバから供給される、前記希望取引条件に対応する商品の取引が前記決済方法によって可能であるか否かを示す情報を、前記売り手または前記買い手に提示し、
前記サーバによって、前記取引が可能であると判定された場合のみ、対応する前記希望取引条件を登録し、
登録済みの売り手の前記希望取引条件と登録済みの買い手の前記希望取引条件との間で取引が成立する組み合わせを決定するとともに、取引価格を決定する
ステップを含むことを特徴とする情報処理方法。
【発明の詳細な説明】
【技術分野】
【０００１】
本発明は、市場運営システム、および情報処理方法に関し、特に、サーバと売買者端末から構成される市場運営システムにおいて、商品を販売したい売り手と商品を購入したい買い手の双方に対して決済能力を確認した上で適切な希望取引条件を設定できるよう支援する市場運営システム、および情報処理方法に関する。
【背景技術】
【０００２】
従来、商取引にインタネットに代表されるネットワークが活用されている。具体的には、売り手が商品を紹介するwebページを開設し、買い手が当該webページ上において商品の購入を申し込む通信販売（例えば、非特許文献１参照）、売り手が登録した商品に対して買い手が値段を設定するネットオークション（例えば、非特許文献２参照）、異なる複数の小売業者からそれぞれ登録された販売価格を一括して買い手側に提供するwebページ（例えば、非特許文献３参照）などが存在する。
【０００３】
また、証券会社等が顧客用に開設している専用webページ（例えば、非特許文献４参照）では、顧客が商品（いまの場合、証券等）の売り注文と買い注文の両方を行うことができるようになされている。
【０００４】
ところで、証券以外の商取引の市場においても商品の値段は常に変動している。特に家電商品などの場合、技術革新のスピードが向上していること、メーカ間および小売業者間それぞれの競争が激化していることなどに起因して、商品価格の変動（特に下落）は顕著である。
【０００５】
【非特許文献１】http://www.jp.sonystyle.com/
【非特許文献２】http://auctions.yahoo.co.jp/jp/
【非特許文献３】http://kakaku.com/
【非特許文献４】http://www.nomura.co.jp/hometrade/index.html
【発明の開示】
【発明が解決しようとする課題】
【０００６】
このため、商品の売り手も買い手も商品の価格変動の特性や競合相手の価格設定状況などを逐次、詳細に把握していない限り、その商品の相場観を適切に判断し、最適な売買条件を設定することが困難である。
【０００７】
相場観を把握することにかけては、証券業界に一日の長がある。証券業界では、適正な価格での売買執行を行うために、価格・売買高推移、証券に対応する会社の財務分析結果などに加えて、注文板と称する表を顧客に提供しており、顧客は注文板によって証券市場の「相場観」を得ている。注文板には、未約定の注文状況が表示されるので、特に直近の相場観を得る最も重要な分析材料となっている。なお、注文板には、売り注文と買い注文が価格帯別にそれぞれ別の行に並んで表示されている。
【０００８】
この注文板を証券市場に限らず、ネットワークを用いた商取引市場にも導入すれば、売り手と買い手の利便性が向上すると期待できる。
【０００９】
ただし、証券市場と同様に、取引の安全性、すなわち取引が確実に履行されることを保証する仕組みが必要である。
【００１０】
例えば、証券市場においては、証券会社が証券市場に対して予め保証金を預託しており、証券会社は顧客（売り手と買い手）から取引に先立って証券や代金を預かることによって取引の不成立を担保している。
【００１１】
しかしながら、上述したように証券市場と同様の方法、すなわち、商品や代金、商品の預託を求める方法を、ネットワークを用いた商取引市場の売り手や買い手である一般消費者に対して求めることは、売り手や買い手の利便性を損ねるだけでなくコスト高となるので、当該商取引市場への参入の妨げとなる。
【００１２】
本発明はこのような状況に鑑みてなされたものであり、ネットワークを用いた商取引市場において、売り手や買い手である一般消費者のコスト高とならず、また利便性を損なうことなく、取引の確実な履行を保証できるようにするものである。
【課題を解決するための手段】
【００１３】
本発明の一側面である市場運営システムは、商品を取引する市場の運営者によって管理されるサーバと、商品の売り手または買い手によって操作される売買者端末から構成される市場運営システムにおいて、前記売買者端末が、前記売り手または前記買い手によって設定された商品の希望取引条件と決済方法を前記サーバに通知する通知手段と、通知した前記決済方法に対して前記サーバから供給される、前記希望取引条件に対応する商品の取引が前記決済方法によって可能であるか否かを示す情報を、前記売り手または前記買い手に提示する提示手段とを備え、前記サーバが、前記売買者端末から通知された前記決済方法によって前記希望取引条件に対応する商品の取引が可能であるか否かを判定し、判定結果を前記売買者端末に供給する判定手段と、前記判定手段によって前記取引が可能であると判定された場合のみ、対応する前記希望取引条件を登録する登録手段と、登録済みの売り手の前記希望取引条件と登録済みの買い手の前記希望取引条件との間で取引が成立する組み合わせを決定するとともに、取引価格を決定する決定手段とを備えることを特徴とする。
【００１４】
前記判定手段は、前記決済方法がクレジットカード決済である場合、前記クレジットカードに対応する所定のサーバにアクセスして、前記クレジットカードにより決済可能であるか否かを示す決済可否情報を取得し、取得した前記決済可否情報に基づいて前記希望取引条件に対応する商品の取引が可能であるか否かを判定し、前記決済方法がクレジットカード決済ではない場合、取引履歴が保持されているデータベースにアクセスして、前記買い手または前記売り手の取引履歴に関する履歴情報を取得し、取得した前記履歴情報に基づいて前記希望取引条件に対応する商品の取引が可能であるか否かを判定するようにすることができる。
【００１５】
前記判定手段は、前記決定手段によって登録済みの売り手の前記希望取引条件と登録済みの買い手の前記希望取引条件との間で取引が成立する前記組み合わせが決定されるとともに、前記取引価格が決定される処理の前にも、前記売買者端末から通知された前記決済方法によって前記希望取引条件に対応する商品の取引が可能であるか否かを再判定し、前記決定手段は、前記判定手段による再判定の結果、商品の取引が不可能であると判定された希望取引条件を除外して、前記登録手段によって登録済みの売り手の前記希望取引条件と登録済みの買い手の前記希望取引条件との間で取引が成立する組み合わせを決定するとともに、取引価格を決定するようにすることができる。
【００１６】
本発明の一側面である情報処理方法は、商品を取引する市場の運営者によって管理されるサーバと、商品の売り手または買い手によって操作される売買者端末から構成される市場運営システムの情報処理方法において、前記売買者端末によって、前記売り手または前記買い手によって設定された商品の希望取引条件と決済方法を前記サーバに通知し、前記サーバによって、前記売買者端末から通知された前記決済方法によって前記希望取引条件に対応する商品の取引が可能であるか否かを判定し、判定結果を前記売買者端末に供給し、前記売買者端末によって、通知した前記決済方法に対して前記サーバから供給される、前記希望取引条件に対応する商品の取引が前記決済方法によって可能であるか否かを示す情報を、前記売り手または前記買い手に提示し、前記サーバによって、前記取引が可能であると判定された場合のみ、対応する前記希望取引条件を登録し、登録済みの売り手の前記希望取引条件と登録済みの買い手の前記希望取引条件との間で取引が成立する組み合わせを決定するとともに、取引価格を決定するステップを含むことを特徴とする。
【００１７】
本発明の一側面においては、売買者端末によって、売り手または買い手によって設定された商品の希望取引条件と決済方法がサーバに通知され、サーバによって、売買者端末から通知された決済方法によって希望取引条件に対応する商品の取引が可能であるか否かが判定されて判定結果が記売買者端末に供給され、売買者端末によって、サーバから供給された、希望取引条件に対応する商品の取引が前記決済方法によって可能であるか否かを示す情報が売り手または買い手に提示される。さらに、サーバによって、取引が可能であると判定された場合のみ、対応する希望取引条件が登録され、登録済みの売り手の希望取引条件と登録済みの買い手の希望取引条件との間で取引が成立する組み合わせが決定されるとともに、取引価格が決定される。
【発明の効果】
【００１８】
本発明の一側面によれば、商品の売り手と買い手からなる市場を効率的に運営することが可能となる。
【００１９】
また、本発明の一側面によれば、市場の売り手や買い手である一般消費者のコスト高とならず、また利便性を損なうことなく、取引の確実な履行を保証できるようにすることが可能となる。
【発明を実施するための最良の形態】
【００２０】
以下、本発明を適用した具体的な実施の形態について、図面を参照しながら詳細に説明する。
【００２１】
図１は、本発明を適用した市場運営システムの構成例を示している。この市場運営システム１０は、商品が売買される市場の運営者によって管理される市場運営サーバ１１、およびこの市場運営サーバ１１に対してインタネットに代表されるネットワーク１２を介して接続される複数の売買者端末１３から構成される。
【００２２】
当該市場で取引される商品は、特にその種類は限定されない。例えば、取引対象の商品としては、家庭電化製品、ゴルフ会員権、ビデオコンテンツ、オーディオコンテンツ、プログラムコンテンツ、土地、建物、部屋、オフィス、光回線、携帯回線、車、バイク、および自転車などの中古・新品、並びに食品、酒類、保険などを含むことができ、取引形態としては、売買に限定されず、売り切り、リース、会員制、レンタルなどを含むものとする。
【００２３】
市場運営サーバ１１は、商品を販売したい売り手によって操作される売買者端末１３からネットワーク１２を介して通知される商品の希望販売条件（希望する販売価格、数量、納期、当該条件の有効期限など。以下、適宜、希望取引条件とも記載する）と、商品を購入したい買い手によって操作される売買者端末１３からネットワーク１２を介して通知される商品の希望購入条件（希望する購入価格、数量、納期、当該条件の有効期限など。以下、適宜、希望取引条件とも記載する）を登録し、ネットワーク１２を介して各売買者端末１３に対し、希望取引条件の登録状況を例えばwebページとして開示するとともに、売り手と買い手による商品の取引を中継するものである。
【００２４】
さらに、市場運営サーバ１１は、商品を購入したい買い手の決済能力（支払い能力）の有無を判定し、決済能力が有ると判定した場合のみ、当該買い手の希望購入条件を当該市場に登録することができるようになされている。なお、決済能力の有無は、買い手がクレジットカードによる決済方法を選択した場合にはクレジットカード会社などに照会することにより判定し、買い手がその他の決済方法を選択した場合には過去の取引実績に応じて判定する。
【００２５】
このように、市場運営サーバ１１が買い手の決済能力を判定するので、例えば、買い手を所定の信用調査を通過できた会員に限定したり、保証金の預託を求めたり、当該市場自身で取引を保証したりするようなコストのかかる手段を用いることなく、当該市場における商品取引の安全性を売り手に対して確保することができる。
【００２６】
市場運営サーバ１１は、例えばコンピュータによって構成される。なお、市場運営サーバ１１を構成するコンピュータは１台に限定されるものではなく、ネットワーク１２やその他のネットワークを介して相互に接続される複数のコンピュータによって構成するようにしてよい。
【００２７】
売買者端末１３は、商品を販売したい売り手、あるいは商品を購入したい買い手によって操作されるものであり、市場運営サーバ１１と同様、例えばコンピュータによって構成される。なお、コンピュータと同様の機能を有する携帯電話機、PDA(personal digital assistance)、ゲーム端末などによって売買者端末１３を構成するようにしてもよい。
【００２８】
ネットワーク１２としては、インタネットの他、携帯電話通信網、LAN(local area network)などを適用することができる。
【００２９】
図２は、市場運営サーバ１１あるいは売買者端末１３をそれぞれ構成するコンピュータの一般的な構成例を示している。このコンピュータ２０は、所定のプログラムを実行することによって、図３に示す市場運営サーバ１１の機能ブロック、あるいは図４に示す売買者端末１３の機能ブロックを実現する。
【００３０】
このコンピュータ２０において、CPU(Central Processing Unit)２１，ROM(Read Only Memory）２２，RAM(Random Access Memory)２３は、バス２４により相互に接続されている。
【００３１】
バス２４には、さらに、入出力インタフェース２５が接続されている。入出力インタフェース２５には、ユーザの操作デバイスとなるキーボード、マウス、リモートコントローラ等よりなる入力部２６、操作画面を表示したり、処理結果を出力したりするディスプレイ、スピーカ等などよりなる出力部２７、ハードディスクや不揮発性のメモリなどよりなる記憶部２８、ネットワークインタフェースなどよりなる通信部２９、磁気ディスク、光ディスク、光磁気ディスク、或いは半導体メモリなどの記録媒体３１を駆動するドライブ３０が接続されている。
【００３２】
このように構成されるコンピュータ２０では、CPU２１が、例えば、記憶部２８に記憶されているプログラムを、入出力インタフェース２５およびバス２４を介して、RAM２３にロードして実行することにより、市場運営サーバ１１あるいは売買者端末１３としての処理が行われる。
【００３３】
次に、市場運営サーバ１１を構成する機能ブロックについて、図３を参照して説明する。
【００３４】
市場運営サーバ１１は、価格検索部５１、価格情報データベース５２、注文板生成部５３、確率分析部５４、注文約定部５５、通知部５６、商品名管理部５７、商品名データベース５８、決済可否判定部５９、および取引実績データベース６０の各機能ブロックから構成される。価格検索部５１乃至取引実績データベース６０は相互に情報を通信することができるようになされている。
【００３５】
価格検索部５１は、市場運営システム１０が管理する当該市場に拘わらず、例えばインタネット上に開設されている通信販売のwebページ、異なる複数の小売業者における価格情報を一括して開示しているwebページ、その他の市場の情報を示すwebページ等に定期的にアクセスし、当該市場において取り扱う全商品の価格情報（メーカ参考価格、最高値、平均販売価格、最安値など）を検索する。そして検索結果として得られる当該市場において取り扱う全商品の価格情報を価格情報データベース５２に出力する。なお、当該市場において取り扱う商品の一覧を示す取扱商品一覧情報は、商品名データベース５８に保持されている。
【００３６】
価格情報データベース５２は、価格検索部５１から入力される各商品の価格情報を蓄積するとともに、市場運営者から入力される各商品についての市場規模、同種の商品を製造しているメーカ数、メーカ方針、メーカの投資状況などの情報を蓄積し、蓄積した各種の情報に基づき、各商品の今後起こり得る価格変化（価格下落率、価格上昇率、所定の期間後の価格など）を予測して蓄積する。また、予測結果を随時修正する。なお、蓄積された予測結果は、同種の商品の価格変化の予測にも利用する。さらに、価格情報データベース５２は、注文約定部５５から通知される当該市場における商品の約定価格（売買が成立した価格）の推移、注文状況の推移にも基づいて、各商品の今後起こり得る価格変化の予測を修正する。
【００３７】
例えば、ある商品の市場規模が大きく、同種の商品を製造しているメーカ数が多い場合、メーカが巨額の投資を行っている場合などには、今後の価格変化として価格下落率が高いと予測する。
【００３８】
注文板生成部５３は、価格検索部５１によって検索され、価格情報データベース５２に保持されている、当該市場において取り扱っている各商品の価格情報や価格変動の予測、注文約定部５５によって登録される売り手や買い手の確定済みの希望取引条件などに基づき、各商品の最高値、メーカ参考価格、即購入価格、現在の最安値、直近の約定価格、今後の予想価格などが含まれた注文板１００（図７を参照して詳述する）を生成し、ネットワーク１２を介して売買者端末１３に供給する。
【００３９】
確率分析部５４は、売買者端末１３からネットワーク１２を介して通知される売り手や買い手の希望取引条件に対し、価格情報データベース５２が蓄積する価格情報および価格変化の予測を参照することにより、受信した希望取引条件で商品の取引（販売または購入）が成立する確率を求め、当該成立確率が一目で直感的に認識できる確率提示情報を生成して、ネットワーク１２を介して売買者端末１３に供給する。
【００４０】
成立確率が一目で直感的に認識できるこの確率提示情報は、商品取引の成立確率を、数値（例えば、９９％、５０％など）、図柄（例えば、笑顔、すまし顔、泣き顔などのアイコンなど）、記号（例えば、二重丸◎、一重丸○、三角△、バツ×など）、色（例えば、青、緑、黄、オレンジ、赤など）、あるいは指標となる図形のサイズ変更（長短、大小など）、アラート点滅などの表示によって表現する。あるいは、例えば、成立確率を音声、アラーム、楽曲などで表現するようにしてもよい。
【００４１】
注文約定部５５は、売買者端末１３から通知される確定された希望取引条件を登録する（自己で記憶する）とともに、売り手と買い手の希望取引条件に基づいて商品取引が約定したか否かを判定し、約定価格を決定する。
【００４２】
通知部５６は、当該市場において商品取引が約定した場合、商品取引の売り手および買い手それぞれの売買者端末１３に対し、ネットワーク１２を介してその旨を通知する。また、通知部５６は、当該市場において取り扱う商品を追加する場合、所定の売り手（追加する商品度同様の商品を販売している売り手など）の売買者端末１３に対し、ネットワーク１２を介して売り手を募集する旨を通知する。
【００４３】
商品名管理部５７は、商品名データベース５８が保持する情報に基づき、当該市場において取り扱っている商品、市場運営者が当該市場で取引するか否か検討している商品、および、買い手または売り手が当該市場で取扱開始を希望している商品の商品名を管理し、それぞれの一覧を示す取扱商品名一覧情報、取扱検討商品名一覧情報、または取扱希望商品名一覧情報を、ネットワーク１２を介して売買者端末１３に供給する。
【００４４】
商品名データベース５８には、取扱商品名一覧情報、取扱検討商品名一覧情報、および取扱希望商品名一覧情報が保持されている。
【００４５】
決済可否判定部５９は、買い手がクレジットカードによる決済を選択した場合、クレジットカード会社や認定個人信用情報保護団体などのサーバにアクセスして当該買い手のクレジットカードに関する情報を参照し、実際に決済可能であるか否かを判定する。買い手がクレジットカード以外の方法（例えば、銀行振込み、代金引換、現金書留、ショッピングローン、電子決済、コンビニ決済など）による決済を選択した場合、取引実績データベース６０を参照して、いままでの取引実績に応じて実際に決済可能であるか否かを判定する。
【００４６】
取引実績データベース６０には、当該市場の買い手と売り手それぞれの取引実績を示す情報が保持されている。取引実績データベース６０に保持されている情報は、決済可否判定部５９によって参照される他、当該市場の買い手と売り手が任意の売り手と買い手の取引実績を示す情報を参照できるようにしてもよい。また、取引実績を示す情報の他、取引相手からの評価を保持するようにしてもよい。
【００４７】
なお、価格検索部５１乃至取引実績データベース６０の各機能ブロックは、上述したように市場運営サーバ１１を構成するコンピュータなどが所定のプログラムを実行することによってソフトウェアとして実現されるが、ハードウェアとして実現するようにしてもよい。  
【００４８】
次に、売買者端末１３を構成する機能ブロックについて、図４を参照して説明する。
【００４９】
売買者端末１３は、注文板表示部７１、確率表示部７２、商品名一覧表示部７３、および操作入力部７４の各機能ブロックから構成される。注文板表示部７１乃至操作入力部７４は相互に情報を通信することができるようになされている。
【００５０】
注文板表示部７１は、ネットワーク１２を介して市場運営サーバ１１から供給される注文板１００を、売買者端末１３のディスプレイに表示させる。確率表示部７２は、ネットワーク１２を介して市場運営サーバ１１から供給される確率提示情報（売買者端末１３のユーザである売り手または買い手の希望取引条件に対して、市場運営サーバ１１によって分析された成立確率を一目で直感的に認識できる情報）を売買者端末１３のディスプレイに表示させる。
【００５１】
商品名一覧表示部７３は、ネットワーク１２を介して市場運営サーバ１１から供給される商品の一覧を示す情報（取扱商品名一覧情報、取扱検討商品名一覧情報、および取扱希望商品名一覧情報）を、売買者端末１３のディスプレイに表示させる。
【００５２】
操作入力部７４は、ユーザである売り手または買い手による各種の操作（各種の商品名一覧を表示させる、商品を選択する、商品名を入力する、希望取引条件を入力する、注文を確定する、決済方法を入力するなど）を受け付けて、ネットワーク１２を介して市場運営サーバ１１に入力する。
【００５３】
なお、注文板表示部７１乃至操作入力部７４は、上述したように売買者端末１３を構成するコンピュータなどが所定のプログラム（例えば、汎用のwebブラウザとそのプラグインプログラムなど）を実行し、市場運営サーバ１１に接続することによってソフトウェアとして実現されるが、ハードウェアとして実現するようにしてもよい。
【００５４】
次に、市場運営システム１０の動作について説明する。
【００５５】
初めに、市場運営サーバ１１によって実行されるデータベース更新処理について、図５のフローチャートを参照して説明する。
【００５６】
このデータベース更新処理は、市場運営サーバ１１に売買者端末１３がアクセスしているか否かに拘わらず、当該市場において取り扱っている全ての商品を順に処理対象とし、所定の周期（例えば、毎日１回）で実行される。
【００５７】
ステップＳ１において、価格検索部５１は、処理対象の商品の価格情報（メーカ参考価格、最高値、平均販売価格、最安値など）を、例えばインタネット上に開設されている通信販売のwebページ、異なる複数の小売業者における価格情報を一括して開示しているwebページ、その他の市場の情報を示すwebページなどにアクセスして検索して取得し、取得した処理対象の商品の価格情報を価格情報データベース５２に出力する。
【００５８】
ステップＳ２において、価格情報データベース５２は、価格検索部５１から入力された処理対象の商品の価格情報、並びに市場運営者から予め入力されている商品の市場規模、同種の商品を製造しているメーカ数、メーカ方針、およびメーカの投資状況などの情報に基づき、処理対象の商品の今後起こり得る価格変化を予測し、予測結果を価格情報とともに蓄積することにより、自己が保持している情報を更新する。
【００５９】
以上で、処理対象としている商品に対するデータベース更新処理は終了され、処理対象とする商品が変更されて同様の処理が繰り返される。
【００６０】
次に、商品の売り手または買い手が商品の希望取引条件（販売価格または購入価格、数量、納期、当該条件の有効期限など）を当該市場に登録するときの処理について、売り手が商品の希望取引条件を当該市場に登録するときの処理を例に、図６のフローチャートを参照して説明する。
【００６１】
ステップＳ１１において、売買者端末１３の操作入力部７４は、ユーザである商品の売り手による所定の操作（例えば、市場運営サーバ１１が開設しているwebページ上の「希望取引条件の登録」ボタンをクリックするなど）に対応し、ネットワーク１２を介して市場運営サーバ１１に希望取引条件の登録開始を要求する。この要求に対応し、ステップＳ３１において、市場運営サーバ１１の商品名管理部５７は、商品名データベース５８に保持されている取扱商品名一覧情報を、ネットワーク１２を介して売買者端末１３に供給する。売買者端末１３の商品名一覧表示部７３は、ステップＳ１２において、供給された取扱商品名一覧情報を売買者端末１３のディスプレイに表示させる。
【００６２】
売買者端末１３を操作している売り手は、表示された取扱商品名一覧情報を見ることにより、販売しようとする商品が当該市場で取引できるか否かを判断することができる。販売しようとする商品が当該市場で取引できると判断した場合、売り手は取扱商品名一覧情報に含まれている販売しようとする商品の商品名を選択する操作を行うことになる。反対に、販売しようとする商品の商品名が取扱商品名一覧情報に含まれていない場合、売り手は所定の操作（例えば、画面上の「取扱希望商品の通知」ボタンをクリックするなど）により、販売しようとする商品の当該市場における取扱を開始するように要望することができる。
【００６３】
ステップＳ１３において、操作入力部７４は、取扱商品名一覧情報に含まれる商品名を選択する操作が売り手により行われたか否かを判定し、選択の操作が行われたと判定した場合、処理をステップＳ１４に進め、選択された商品名、すなわち、売り手が販売したい商品の商品名を、ネットワーク１２を介して市場運営サーバ１１に通知する。
【００６４】
この商品名の通知に対応し、ステップＳ３２において、市場運営サーバ１１の注文板生成部５３は、通知された商品に対応する注文板１００を生成し、ネットワーク１２を介して売買者端末１３に供給する。売買者端末１３の注文板表示部７１は、ステップＳ１５において、供給された注文板１００をディスプレイに表示させる。
【００６５】
ここで、売買者端末１３のディスプレイに表示される注文板１００について、図７の表示例を参照して説明する。注文板１００には、商品のメーカ名、商品名、型番、その他の情報（色など）が示される商品名表示欄１０１と、価格の高低を示す価格軸１０２が設けられおり、価格軸１０２の左右に各価格（以下に説明する最高値表示欄１０３など）における売り注文数と買い注文数を示す注文数指標１１０が表示される。
【００６６】
価格軸１０２上には、最高値を示す最高値表示欄１０３、メーカ参考価格を示すメーカ参考価格表示欄１０４、買い手が即購入できる価格を示す即購入価格表示欄１０５、所定の期間前（図７の場合、２週間前）の最安値を示す過去最安値表示欄１０６、直近の約定価格（売買が成立した価格）を示す直近約定値表示欄１０７、所定の期間経過後（図７の場合、１ヶ月後）の予想される最安値を示す予想最安値表示欄１０８、およびインタネットを用いた通信販売における現在の最安値を示すNET最安値表示欄１０９が設けられている。なお、最高値表示欄１０３以外の参考価格表示欄１０４乃至NET最安値表示欄１０９は、当然ながら図７の表示例の順序で配置されるとは限らない。
【００６７】
最高値表示欄１０３乃至NET最安値表示欄１０９には、その金額とともに「最高値」、「メーカ参考価格」などの文字列が表示される。
【００６８】
各価格に対する売り注文数と買い注文数は、注文数指標１１０によって示される。注文数指標１１０の長さは、注文の総量を示している。注文数指標１１０の幅さは、注文の件数を示している。注文数指標１１０の色、柄、点滅具合を変化させることにより、注文の時期を示すことができる
【００６９】
このように、注文板１００では、価格軸１０２に沿って最高値表示欄１０３乃至NET最安値表示欄１０９の金額とその意味が表示され、注文数指標１１０の長さ、幅、色、柄、点滅によって注文の総数、注文の件数、注文時期が示される。したがって、売買者端末１３を操作する売り手や買い手は、従来の注文板のように単に価格軸に沿って金額が並べられたものを見た場合に比較して、商品の相場観を容易、且つ、直感的に把握することができる。
【００７０】
図６の説明に戻る。ステップＳ１５の処理で表示された注文板１００を見ることにより、販売しようとする商品の相場観を容易、且つ、直感的に把握した売り手は、所定の操作（例えば、画面上の「希望取引条件の入力」ボタンをクリックするなど）によって販売しようとする商品の希望取引条件の入力を行うことができる。
【００７１】
ステップＳ１６において、操作入力部７４は、売り手により希望取引条件を入力する操作が行われたか否かを判定し、希望取引条件を入力する操作が行われたと判定するまで待機する。そして、希望取引条件を入力する操作が行われたと判定した場合、処理をステップＳ１７に進め、入力された希望取引条件を、ネットワーク１２を介して市場運営サーバ１１に通知する。
【００７２】
この希望取引条件の通知に対応し、ステップＳ３３において、市場運営サーバ１１の確率分析部５４は、価格情報データベース５２が蓄積する価格情報および価格変化の予測を参照することにより、通知された希望取引条件で商品の取引が成立する確率を求め、当該成立確率が一目で直感的に認識できる確率提示情報を生成して、ネットワーク１２を介して売買者端末１３に供給する。ステップＳ１８において、売買者端末１３の確率表示部７２は、供給された確率提示情報をディスプレイに表示させる。
【００７３】
売買者端末１３のディスプレイに表示された確率提示情報を見ることにより、売り手は先ほど入力した希望取引条件が現状において適切なものであるか否かを判断することができる。先ほど入力した希望取引条件が適切であると判断した場合、売り手は所定の操作（画面上の「確定」ボタンをクリックするなど）によって先ほど入力した希望取引条件を確定することができる。
【００７４】
反対に、適切ではない（例えば、希望した販売価格が高過ぎたなど）と判断した場合、売り手は所定の操作（画面上の「再入力」ボタンをクリックするなど）により、希望取引条件を再入力することができる。
【００７５】
ステップＳ１９において、操作入力部７４は、先ほど入力された希望取引条件が確定されたか、または再入力されるのかを判定する。再入力されると判定された場合、処理はステップＳ１６に戻り、それ以降の処理が繰り返される。そして、ステップＳ１９において、先ほど入力された希望取引条件が確定されたと判定された場合、処理はステップＳ２０に進められる。ステップＳ２０において、操作入力部７４は、希望取引条件が確定された旨を、ネットワーク１２を介して市場運営サーバ１１に通知する。
【００７６】
この通知に対応し、市場運営サーバ１１の注文約定部５５は、ステップＳ３４において、確定された希望取引条件を登録（自己で記憶）し、登録した旨を売買者端末１３に通知する。
【００７７】
なお、ステップＳ１３において、取扱商品名一覧情報に含まれている商品名が選択されず、当該市場において現在未取扱の商品の取扱開始が要望されたと判定された場合、取扱希望商品通知処理（後述）が開始される。
【００７８】
以上で、希望取引条件を登録するときの処理の説明を終了する。なお、上述した説明は、商品の売り手が希望取引条件を登録するときの処理を例にしたが、商品の買い手が希望取引条件を登録する処理も同様の手順で実行することができる。
【００７９】
ただし、商品の買い手が希望取引条件を登録する処理の場合には、買い手に決済方式を入力させ、入力された決済方式で実際に決済可能であるか否かを判定し、決済可能であると判定したときのみ、希望取引条件を登録するようにすることができる。この決済の可否判定を含む、商品の買い手が希望取引条件を登録する処理については、図１１を参照して後述する。
【００８０】
以上説明したように、本発明を適用した市場運営システム１０によれば、商品を販売したい売り手、および購入したい買い手は、未確定の希望取引条件を入力することにより、その希望取引条件で取引が成立する確率を示す確率提示情報を得ることができるので、未確定の希望取引条件が適切であるか否かを判断し、希望取引条件を変更したり、確定したりすることができる。したがって、より適切な希望取引条件を当該市場に登録することができるので、より効率的な商品取引を行うことができる。
【００８１】
次に、上述したステップＳ１３において、商品の売り手または買い手により、取扱商品名一覧情報に含まれている商品名が選択されず、当該市場において現在未取扱の商品の取扱開始が要望された場合に実行される取扱希望商品通知処理について、ある商品を購入したい買い手が取扱開始を要望したときの処理を例に、図８のフローチャートを参照して説明する。
【００８２】
ステップＳ５１において、売買者端末１３の操作入力部７４は、取扱希望商品通知処理の開始を、ネットワーク１２を介して市場運営サーバ１１に要求する。この要求に対応し、ステップＳ７１において、市場運営サーバ１１の商品名管理部５７は、商品名データベース５８に保持されている取扱希望商品名一覧と取扱検討商品名一覧を、ネットワーク１２を介して売買者端末１３に供給する。ステップＳ５２において、売買者端末１３の商品名一覧表示部７３は、供給された取扱希望商品名一覧と取扱検討商品名一覧を売買者端末１３のディスプレイに表示させる。
【００８３】
表示された取扱希望商品名一覧と取扱検討商品名一覧を見ることにより、買い手は取扱開始を希望する商品が、自己以外の買い手や売り手によって既に取扱開始希望の商品とされているか否か、および、当該市場運営者によって取扱検討中の商品であるか否かを判断することができる。
【００８４】
取扱開始を希望する商品が、取扱希望商品名一覧または取扱検討商品名一覧に含まれている場合、買い手は当該商品の商品名を選択する操作を行うことになる。反対に、取扱開始を希望する商品が、取扱希望商品名一覧および取扱検討商品名一覧に含まれていない場合、買い手は所定の操作（例えば、画面上の「商品名の入力」ボタンをクリックするなど）により、取扱開始を希望する商品の商品名を市場管理サーバ１１に通知することができる。
【００８５】
ステップＳ５３において、操作入力部７４は、取扱希望商品名一覧または取扱検討商品名一覧に含まれる商品名を選択する操作が買い手により行われたか否かを判定し、選択の操作が行われたと判定した場合、処理をステップＳ５４に進め、選択された商品名、すなわち、買い手が取引開始を希望する商品であって、他人が取引希望を登録している商品であるか、または取引検討中の商品の商品名を、ネットワーク１２を介して市場運営サーバ１１に通知する。
【００８６】
この商品名の通知に対応し、ステップＳ７２において、市場運営サーバ１１の商品名管理部５７は、当該商品に対して取扱開始が希望された数と、その取扱開始の希望が登録され始めた時期（希望開始時期）を商品名データベース５８から取得して、ネットワーク１２を介して売買者端末１３に供給する。
【００８７】
ステップＳ５５において、売買者端末１３の商品名一覧表示部７３は、供給された情報（ユーザである買い手が取扱開始を希望している商品に対する、他の買い手や売り手からの取扱開始の希望数、希望開始時期）をディスプレイに表示させる。
【００８８】
表示されたこれらの情報に基づき、買い手は、自己以外に当該商品の取引開始の希望を出している人の数を把握することができる、また、取引開始時期を推測することができる。さらに、買い手は、所定の操作（例えば、画面上の「取引予約処理」ボタンをクリックするなど）により、今後当該商品の取扱が開始されたときに有効となる希望取引条件を現時点で市場管理サーバ１１に予め登録すること（以下、取引予約処理と称する）ができる。この後、処理はステップＳ６０に進められる。
【００８９】
なお、ステップＳ５３において、取扱希望商品名一覧または取扱検討商品名一覧に含まれる商品名を選択する操作を買い手が行わず、取引開始を希望する商品名を入力するための所定の操作（例えば、画面上の「商品名の入力」ボタンをクリックするなど）が行われたと判定された場合、処理はステップＳ５６に進められ、ユーザ（買い手）に対して取扱開始を希望する商品の商品名（メーカ名、型番、色などを含む）の入力が促される。
【００９０】
ステップＳ５７において、操作入力部７４は、ユーザ（買い手）によって取扱開始を希望する商品の商品名の入力が行われるまで待機し、商品名の入力が行われた場合、処理をステップＳ５８に進める。ステップＳ５８において、操作入力部７４は、入力された商品名を、ネットワーク１２を介して市場運営サーバ１１に通知する。
【００９１】
この通知に対応し、ステップＳ７３において、市場運営サーバ１１の価格検索部５１は、通知された商品の価格情報をインタネット上などで直ちに検索し、得られた価格情報（メーカ参考価格、最高値、平均販売価格、最安値など）を、ネットワーク１２を介して売買者端末１３に供給する。ステップＳ５９において、売買者端末１３の注文板表示部７１は、供給された価格情報を売買者端末１３のディスプレイに表示させる。
【００９２】
この価格情報を見ることにより、売り手は商品の他の市場における現時点での相場を知ることができる。また、買い手は、所定の操作（例えば、画面上の「取引予約処理」ボタンをクリックするなど）により、今後当該商品の取扱が開始されたときに有効となる希望取引条件を現時点で市場管理サーバ１１に予め登録すること（以下、取引予約処理と称する）ができる。
【００９３】
ステップＳ６０において、売買者端末１３の操作入力部７４は、取引予約処理の実行を指示するユーザからの所定の操作（例えば、画面上の「取引予約処理」ボタンをクリックするなど）が行われたか否かを判定し、当該所定の操作が行われたと判定した場合、処理をステップＳ６１に進める。
【００９４】
ステップＳ６１において、操作入力部７４は、ユーザである買い手に対して希望取引条件の入力を促す。そして、希望取引条件の入力が行われるまで待機し、希望取引条件が入力された場合、買い手から入力された希望取引条件を、ネットワーク１２を介して市場運営サーバ１１に通知する。
【００９５】
この希望取引条件の通知に対応し、ステップＳ７４において、市場運営サーバ１１の確率分析部５４は、価格情報データベース５２が蓄積する類似商品の価格情報および価格変化の予測を参照することにより、通知された希望取引条件で商品の取引が成立する確率を求め、当該成立確率が直感的に視認できる確率提示情報を生成して、ネットワーク１２を介して売買者端末１３に供給する。ステップＳ６２において、売買者端末１３の確率表示部７２は、供給された確率提示情報をディスプレイに表示させる。
【００９６】
売買者端末１３のディスプレイに表示された確率提示情報を見ることにより、買い手は、先ほど入力した希望取引条件が現状において適切であるか否かを判断することができる。先ほど入力した希望取引条件が現状において適切であると判断した場合、買い手は所定の操作（画面上の「確定」ボタンをクリックするなど）によって先ほど入力した希望取引条件を確定することができる。反対に、適切ではない（例えば、希望する購入価格が安すぎるなど）と判断した場合、買い手は所定の操作（画面上の「再入力」ボタンをクリックするなど）により、希望取引条件を再入力することができる。
【００９７】
ステップＳ６３において、操作入力部７４は、先ほど入力された希望取引条件が確定されたか、または再入力されるのかを判定する。再入力されると判定した場合、ステップＳ６１に戻り、それ以降の処理を繰り返す。そして、ステップＳ６３において、先ほど入力された希望取引条件が確定されたと判定された場合、処理はステップＳ６４に進められる。ステップＳ６４において、操作入力部７４は、希望取引条件が確定された旨を、ネットワーク１２を介して市場運営サーバ１１に通知する。
【００９８】
この通知に対応し、市場運営サーバ１１の注文約定部５５は、ステップＳ７５において、確定された希望取引条件を、通知された日時とともに登録する（自己で記憶する）。ここで希望取引条件とともに登録された日時は、当該商品の取扱が開始された際、注文の日時とされる。したがって、取引予約処理を行うことによって買い手は、当該商品の取引に対して時間的な優先権を得ることができる。
【００９９】
未取扱の商品に対して希望取引条件が１件でも登録された段階で、通知部５６は、当該商品の売り手候補（類似商品を既に販売している売り手など）に対し、未取扱の商品の取引（購入）を希望する買い手が出現した旨を通知することによって売り手の募集を開始する。なお、登録された希望取引条件は、売り手候補や他の買い手が検索し、閲覧できるようになされている。
【０１００】
なお、ステップＳ６０において、取引予約処理に進むことを指示する所定の操作が行われないと判定された場合、ステップＳ６１乃至Ｓ６４はスキップされる。以上で、売買者端末１３側の処理は終了される。
【０１０１】
一方、市場管理サーバ１１の注文約定部５５は、ステップＳ７６において、未取扱の当該商品に対する取引予約処理の件数が所定の数を超えたか否かを判定し、所定の数を越えたと判定した場合、当該商品を取扱商品に追加するよう決定する。この決定に対応して、当該商品の商品名が取扱商品名一覧情報に追加される。
【０１０２】
通知部５６は、当該商品の取扱開始を買い手、および売り手に通知する。これにより、当該市場においてこれまでも取扱であった商品の取引が可能となる。そして、注文約定部５５は、登録された希望取引条件に合致する取引相手が出現した場合、その初期の取引を約定するので、買い手の負担を軽減することができる。
【０１０３】
以上で、取扱希望商品通知処理の説明を終了する。なお、上述した説明は、商品の買い手側が取扱希望商品を通知するときの処理を例にしたが、商品の売り手が取扱希望商品を通知する処理も同様の手順で実行することができる。
【０１０４】
以上説明したように、本発明を適用した市場運営システム１０によれば、当該市場において未取扱の商品を販売したい売り手、および購入したい買い手は、所望の商品の取扱開始の希望することができ、さらに、取引予約処理により、取扱が開始されたときに有効となる希望取引条件を登録日時とともに登録することによって当該商品の取引に対して時間的な優先権を得ることができる。
【０１０５】
次に、上述した処理によって登録済みの希望取引条件に基づいて商品取引が約定したか否かを判定し、約定価格を決定する処理（以下、約定処理と称する）について、図９に示すフローチャートと図１０に示す注文板１００の表示例を参照して説明する。
【０１０６】
なお、図１０の注文板１００の表示例においては、説明の便器上、売注文の商品の数量を示す売注文数量１２１と買注文の商品の数量を示す買注文数量１２３が示されている。さらに、売注文については低額側から注文数量の延べ数を示す売り注文延べ数量１２２が、買注文については高額側からの注文数量の延べ数を示す買注文延べ数量１２４が示されている。ただし、価格軸１０２に沿って表示された金額の表示欄からは、「最高値」、「メーカ参考価格」などの文字列の表示を省略している。売注文数量１２１乃至買注文延べ数量１２４は、注文板１００上に実際に表示してもよいし、表示しなくてもよい。
【０１０７】
この約定処理は、当該市場で取り扱われている商品に対して希望取引条件が登録されたとき、当該商品を処理対象として開始される。
【０１０８】
ステップＳ９１において、注文約定部５５は、価格情報データベース５２から、処理対象とする商品の直近の約定価格を取得する。なお、直近の約定価格の代わりに、予め基準価格を設定しておき、その基準価格を取得するようにしてもよい。
【０１０９】
ステップＳ９２において、注文約定部５５は、処理対象の商品に対して登録されている希望取引条件を参照し、買注文の商品数量と、売注文の商品の数量が一致し、且つ、買注文の希望購入価格が売注文の希望販売価格以上である組み合わせを検出し、検出した売注文と買注文の間で商品取引が約定したと判定する。このようにして約定した売注文と買注文の組み合わせは、売り手は希望販売価格以上で商品を販売することができ、買い手は希望購入価格以下で商品を購入することができる。なお、この条件を満たす組み合わせが検出されない場合には、約定処理を終了する。
【０１１０】
例えば、図９の表示例の場合、当該商品に対する買注文（９９０円で数量５）と、売注文（９６０円で数量５）が検出され、この売注文と買注文の間で商品取引が約定したと判定される。
【０１１１】
ステップＳ９３において、注文約定部５５は、当該商品に対する売注文または買注文の少なくとも一方の希望がある価格の範囲で売注文延べ数量と買注文延べ数量を算出し、ステップＳ９４において、売注文延べ数量と買注文延べ数量の大小関係が逆転する境を検出する。さらにステップＳ９５において、検出した境を挟む２つの価格のうち、直近の約定価格（あるいは基準価格）に近い方を今回の約定価格に決定する。
【０１１２】
図９の表示例の場合、１０００円から９５０円の範囲で、売注文延べ数量は低額側から順に、９５０円のときは０、９６０円のときは５、９７０円のときは１５、９８０円のときは２５、９９０円のときは５５、１０００円のときは１１０となる。買注文延べ数は高額側から順に、１０００円のときは０、９９０円のときは５、９８０円のときは５、９７０円のときは５、９６０円のときは２５、９５０円のときは７５となる。
【０１１３】
売注文延べ数量と買注文延べ数量の大小関係は、１０００円から９７０円までは売注文延べ数量の方が大きく、９６０円以下では買注文延べ数量の方が大きくなるので、売注文延べ数量と買注文延べ数量の大小関係が逆転する境を挟む２つの価格は９７０円と９６０円となる。そして、例えばステップＳ９１の処理で、直近の約定価格（あるいは基準価格）として１０００円が取得されていれば、１０００円に近い方の９７０円が今回の約定価格となる。また例えばステップＳ９１の処理で、直近の約定価格（あるいは基準価格）として９５０円が取得されていれば、９５０円に近い方の９６０円が今回の約定価格となる。
【０１１４】
以上で、約定処理の説明を終了する。この約定処理によって決定された約定価格は、約定された売注文の希望販売価格と買注文の希望購入価格のみならず、他の買注文の希望購入価格と他の売注文の希望販売価格を決定要素に加えているので、売り手と買い手の双方の希望を満足させるだけでなく、市場の実勢に対して妥当なものとなる。
【０１１５】
次に、買い手の決済能力の可否判定を含む、商品の買い手が希望取引条件を登録する処理について、図１１のフローチャートを参照して説明する。
【０１１６】
ステップＳ１０１において、売買者端末１３の操作入力部７４は、ユーザである商品の買い手による所定の操作（例えば、市場運営サーバ１１が開設しているwebページ上の「希望取引条件の登録」ボタンをクリックするなど）に対応し、ネットワーク１２を介して市場運営サーバ１１に希望取引条件の登録開始を要求する。この要求に対応し、ステップＳ１３１において、市場運営サーバ１１の商品名管理部５７は、商品名データベース５８に保持されている取扱商品名一覧情報を、ネットワーク１２を介して売買者端末１３に供給する。売買者端末１３の商品名一覧表示部７３は、ステップＳ１０２において、供給された取扱商品名一覧情報を売買者端末１３のディスプレイに表示させる。
【０１１７】
売買者端末１３を操作している買い手は、表示された取扱商品名一覧情報を見ることにより、購入しようとする商品が当該市場で取引できるか否かを判断することができる。購入しようとする商品が当該市場で取引できると判断した場合、買い手は取扱商品名一覧情報に含まれている購入しようとする商品の商品名を選択する操作を行うことになる。反対に、購入しようとする商品の商品名が取扱商品名一覧情報に含まれていない場合、買い手は所定の操作（例えば、画面上の「取扱希望商品の通知」ボタンをクリックするなど）により、購入しようとする商品の当該市場における取扱を開始するように要望することができる。
【０１１８】
ステップＳ１０３において、操作入力部７４は、取扱商品名一覧情報に含まれる商品名を選択する操作が買い手により行われたか否かを判定し、選択の操作が行われたと判定した場合、処理をステップＳ１０４に進め、選択された商品名、すなわち、買い手が購入したい商品の商品名を、ネットワーク１２を介して市場運営サーバ１１に通知する。
【０１１９】
この商品名の通知に対応し、ステップＳ１３２において、市場運営サーバ１１の注文板生成部５３は、通知された商品に対応する注文板１００を生成し、ネットワーク１２を介して売買者端末１３に供給する。売買者端末１３の注文板表示部７１は、ステップＳ１０５において、供給された注文板１００をディスプレイに表示させる。
【０１２０】
表示された注文板１００を見ることにより、購入しようとする商品の相場観を容易、且つ、直感的に把握した買い手は、所定の操作（例えば、画面上の「希望取引条件の入力」ボタンをクリックするなど）によって購入しようとする商品の希望取引条件の入力を行うことができる。
【０１２１】
ステップＳ１０６において、操作入力部７４は、買い手により希望取引条件を入力する操作が行われたか否かを判定し、希望取引条件を入力する操作が行われたと判定するまで待機する。そして、希望取引条件を入力する操作が行われたと判定した場合、処理をステップＳ１０７に進める。
【０１２２】
ステップＳ１０７において、操作入力部７４は、買い手により決済方法を入力する操作が行われたか否かを判定し、決済方法を入力する操作が行われたと判定するまで待機する。ここで、買い手が入力する決済方法とは、クレジットカード払い、銀行振り込み、代金引換などであり、クレジットカード払いが選択された場合にはクレジットカードの名義人、カード番号、有効期限の入力も要求する。そして、決済方法を入力する操作が行われたと判定した場合、処理をステップＳ１０８に進め、入力された希望取引条件と決済方法（クレジットカード払いの場合にはクレジットカードの名義人、カード番号、有効期限を含む）を、ネットワーク１２を介して市場運営サーバ１１に通知する。
【０１２３】
この希望取引条件と決済方法の通知に対応し、ステップＳ１３３において、市場運営サーバ１１の決済可否判定部５９は、希望購入条件に基づいて支払額を演算し、演算した支払額を実際に決済可能であるか否かを判定する。具体的には、クレジットカードによる決済方法が通知された場合、クレジットカード会社や認定個人信用情報保護団体などのサーバにアクセスして当該買い手のクレジットカードに関する情報を参照し、実際に決済可能であるか否かを判定する。買い手がクレジットカード以外の方法（例えば、銀行振込み、代金引換、現金書留、ショッピングローン、電子決済、コンビニ決済など）による決済を選択した場合、取引実績データベース６０を参照して、いままでの取引実績に応じて実際に決済可能であるか否かを判定する。
【０１２４】
そして、当該買い手が決済不可能と判定された場合、処理はステップＳ１３４に進められて、通知された決済方法では決済が不可能である旨と決済方法の再入力の要求が、ネットワーク１２を介して売買者端末１３に通知される。この通知に対応し、売買者端末１３では、ステップＳ１０７の決済方法の入力を待つ処理が再度実行される。
【０１２５】
反対に、ステップＳ１３３において、実際に決済可能であると判定された場合、処理はステップＳ１３５に進められる。ステップＳ１３５において、市場運営サーバ１１の確率分析部５４は、価格情報データベース５２が蓄積する価格情報および価格変化の予測を参照することにより、通知された希望取引条件で商品の取引が成立する確率を求め、当該成立確率が一目で直感的に認識できる確率提示情報を生成して、ネットワーク１２を介して売買者端末１３に供給する。ステップＳ１０９において、売買者端末１３の確率表示部７２は、供給された確率提示情報をディスプレイに表示させる。
【０１２６】
売買者端末１３のディスプレイに表示された確率提示情報を見ることにより、買い手は先ほど入力した希望取引条件が現状において適切なものであるか否かを判断することができる。先ほど入力した希望取引条件が適切であると判断した場合、買い手は所定の操作（画面上の「確定」ボタンをクリックするなど）によって先ほど入力した希望取引条件を確定することができる。反対に、適切ではない（例えば、希望した購入価格が安過ぎた、高すぎたなど）と判断した場合、買い手は所定の操作（画面上の「再入力」ボタンをクリックするなど）により、希望取引条件を再入力することができる。
【０１２７】
ステップＳ１１０において、操作入力部７４は、先ほど入力された希望取引条件が確定されたか、または再入力されるのかを判定する。再入力されると判定された場合、処理はステップＳ１０６に戻され、それ以降の処理が繰り返される。そして、ステップＳ１１０において、先ほど入力された希望取引条件が確定されたと判定された場合、処理はステップＳ１１１に進められる。ステップＳ１１１において、操作入力部７４は、希望取引条件が確定された旨を、ネットワーク１２を介して市場運営サーバ１１に通知する。
【０１２８】
この通知に対応し、市場運営サーバ１１の注文約定部５５は、ステップＳ１３６において、確定された希望取引条件を登録（自己で記憶）し、登録した旨を売買者端末１３に通知する。
【０１２９】
なお、ステップＳ１０３において、取扱商品名一覧情報に含まれている商品名が選択されず、当該市場において現在未取扱の商品の取扱開始が要望されたと判定された場合、上述した取扱希望商品通知処理が開始される。
【０１３０】
以上で、買い手の決済能力の可否判定を含む、商品の買い手が希望取引条件を登録する処理の説明を終了する。
【０１３１】
なお、決済方法の通知と可否の判定は、買い手が希望取引条件を確定した後に実行するようにしてもよい。
【０１３２】
以上のようにして、買い手の決済能力の可否判定を経て登録された希望取引条件（希望購入条件）は、この後、注文約定部５５によって、売り手によって登録されている希望取引条件（希望販売条件）と照合されて、売買を成立させるべき希望購入条件と希望販売条件の組み合わせが決定されて約定価格が決定されことになるが、このとき、再び買い手の決済能力の可否が判定される。そして、再び買い手の決済が可能と判定された希望購入条件だけが商品取引の対象とされて、最終的な約定関係（希望購入条件と希望販売条件の組み合わせ）と約定価格が決定されて、決定内容がネットワーク１２を介して売り手と買い手それぞれの売買者端末１３に通知される。
【０１３３】
以上説明したように、本発明を適用した市場運営システム１０によれば、市場運営サーバ１１が希望取引条件を登録するときと、約定関係および約定価格を決定するときに買い手の決済能力を判定するので、例えば、買い手を所定の信用調査を通過できた会員に限定したり、保証金の預託を求めたり、当該市場自身で取引を保証したりするようなコストのかかる手段を用いることなく、当該市場における商品取引の安全性を売り手に対して確保することができる。
【０１３４】
買い手の決済能力の可否判定と同様の方法により、商品の売り手が希望取引条件を登録するときに、当該売り手の取引実績に応じてその可否を判定するようしてもよい。
【０１３５】
なお、本明細書において、システムとは、複数の装置により構成される装置全体を表すものである。
【０１３６】
また、本発明の実施の形態は、上述した実施の形態に限定されるものではなく、本発明の要旨を逸脱しない範囲において種々の変更が可能である。
【図面の簡単な説明】
【０１３７】
【図１】本発明を適用した市場運営システムの構成例を示すブロック図である。
【図２】コンピュータの構成例を示すブロック図である。
【図３】市場運営サーバが有する機能ブロックの構成例を示すブロック図である。
【図４】売買者端末が有する機能ブロックの構成例を示すブロック図である。
【図５】データベース更新処理を説明するフローチャートである。
【図６】希望取引条件を登録するときの処理を説明するフローチャートである。
【図７】注文板の表示例を示す図である。
【図８】当該市場において取引開始を希望する商品を登録するときの処理を説明するフローチャートである。
【図９】約定処理を説明するフローチャートである。
【図１０】約定処理の説明に用いた注文板の表示例を示す図である。
【図１１】買い手の決済能力の可否判定を含む、希望取引条件を登録する処理を説明するフローチャートである。
【符号の説明】
【０１３８】
１０  市場運営システム，  １１  市場運営サーバ，  １２  ネットワーク，  １３  売買者端末，  ２０  コンピュータ，  ２１  CPU，  ３１  記録媒体,  ５１  価格検索部，  ５２  価格情報データベース，  ５３  注文板生成部，  ５４  確率分析部，  ５５  注文約定部，  ５６  通知部，  ５７  商品名管理部，  ５８  商品名データベース，  ５９  決済可否判定部，  ６０  取引実績データベース，  ７１  注文板表示部，  ７２  確率表示部，  ７３  商品名一覧表示部，  ７４  操作入力部，  １００  注文板，  １０１  商品名表示欄，  １０２  価格軸，  １０３  最高値表示欄，  １０４  メーカ参考価格表示欄，  １０５  即購入価格表示欄，  １０６  過去最安値表示欄，  １０７  直近約定値表示欄，  １０８  予想最安値表示欄，  １０９  NET最安値表示欄，１１０  注文数指標
【図１】
2008262436.tif 000003
【図２】
2008262436.tif 000004
【図３】
2008262436.tif 000005
【図４】
2008262436.tif 000006
【図５】
2008262436.tif 000007
【図６】
2008262436.tif 000008
【図７】
2008262436.tif 000009
【図８】
2008262436.tif 000010
【図９】
2008262436.tif 000011
【図１０】
2008262436.tif 000012
【図１１】
2008262436.tif 000013